(57)【要約】【課題】カメラ機器に於いて、コンデンサの取付け、交換の作業性を改善する。【解決手段】カメラ機器は、金属製のキャビネット２内部にストロボ２１用のコンデンサ４を具え、該コンデンサ４は一端部から端子４０、４０を突出している。キャビネット２内にはブラケット１が設けられ、該ブラケット１には、端子４０、４０を側方に向けたコンデンサ４の周面が載置される受け片３０と、コンデンサ４の周面に被さりキャビネット２とコンデンサ４の接触を防ぐ絶縁性のカバー５が設けられている。カバー５の自由端部と該自由端部に対向する受け片３０上には、カバー５の閉じ姿勢を保つロック機構６が設けられ、該ロック機構６と端子４０、４０は互いに離されている。【選択図】    図３
2004258283.tif 000002
【特許請求の範囲】
【請求項１】
金属製のキャビネット（２）内部にストロボ（２１）用のコンデンサ（４）を具え、該コンデンサ（４）は一端部から端子（４０）（４０）を突出したカメラ機器に於いて、
キャビネット（２）内にはブラケット（１）が設けられ、該ブラケット（１）には、端子（４０）（４０）を側方に向けたコンデンサ（４）の周面が載置される受け片（３０）と、コンデンサ（４）の周面に被さりキャビネット（２）とコンデンサ（４）の接触を防ぐ絶縁性のカバー（５）が設けられ、
カバー（５）の自由端部と該自由端部に対向する受け片（３０）上には、カバー（５）の閉じ姿勢を保つロック機構（６）が設けられ、該ロック機構（６）と端子（４０）（４０）は互いに離れていることを特徴とするカメラ機器。
【請求項２】
カバー（５）には、コンデンサ（４）を内向きに付勢する押圧片（５０）が設けられた請求項１に記載のカメラ機器。
【発明の詳細な説明】
【０００１】
【発明の属する技術分野】
本発明は、ストロボを具えたカメラ機器に関し、具体的にはストロボ用コンデンサを取り付ける構造に関する。
【０００２】
【従来の技術】
従来からストロボ用のコンデンサを内蔵したカメラ機器が知られている（例えば、特許文献１参照）。図８は、ストロボ（２１）をコンデンサ（４）によって発光させる回路図である。ストロボ（２１）にはスイッチ（ＳＷ）を介して電池（９５）が接続され、該電池（９５）にはコンデンサ（４）が並列に接続されている。スイッチ（ＳＷ）は通常ＯＦＦになっている。ストロボ（２１）は大光量を要するから、高い電圧をストロボ（２１）に印加する必要がある。しかし、連続して高い電圧をストロボ（２１）に印加すれば、直ぐにストロボ（２１）が切れてしまうので、スイッチ（ＳＷ）を押すことにより、コンデンサ（４）に充電した高電圧を瞬間的にストロボ（２１）に流してストロボ（２１）を発光させている。
該コンデンサ（４）をカメラ機器内の基板（９）に取り付けるには、図９に示すように、先ずコンデンサ（４）の端子（４０）（４０）を基板（９）に半田付けした後に、絶縁性の止め具（９０）を基板（９）に取り付ける。止め具（９０）は、コンデンサ（４）の上端に接する押さえ片（９１）の両端から脚片（９２）（９２）を突出し、脚片（９２）（９２）の先端部が基板（９）の裏面に弾性力を持って引掛って、コンデンサ（４）を基板（９）に固定する。
【０００３】
【特許文献１】
特開平９−２４４１１７号（第１図）
【０００４】
【発明が解決しようとする課題】
図９に示す構造では、コンデンサ（４）の上から止め具（９０）を取り付ける必要があり、手間が掛かる。また、修理等の際に、コンデンサ（４）を外す場合には、脚片（９２）（９２）の先端部を基板（９）の裏面から外す必要があるが、この際に端子（４０）（４０）に指が触れ、コンデンサ（４）内に蓄積された電荷により、作業者が感電する虞れがあった。
本発明の目的は、カメラ機器に於いて、コンデンサ（４）の取付け、交換時の作業性を改善することにある。
【０００５】
【課題を解決する為の手段】
金属製のキャビネット（２）内部にストロボ（２１）用のコンデンサ（４）を具え、該コンデンサ（４）は一端部から端子（４０）（４０）を突出したカメラ機器に於いて、
キャビネット（２）内にはブラケット（１）が設けられ、該ブラケット（１）には、端子（４０）（４０）を側方に向けたコンデンサ（４）の周面が載置される受け片（３０）と、コンデンサ（４）の周面に被さりキャビネット（２）とコンデンサ（４）の接触を防ぐ絶縁性のカバー（５）が設けられ、
カバー（５）の自由端部と該自由端部に対向する受け片（３０）上には、カバー（５）の閉じ姿勢を保つロック機構（６）が設けられ、該ロック機構（６）と端子（４０）（４０）は互いに離れている。
【０００６】
【作用及び効果】
コンデンサ（４）は受け片（３０）上に横向きに載置され、該コンデンサ（４）の周面にカバー（５）が被さる。カバー（５）を開くだけで、コンデンサ（４）が交換できる。カバー（５）は絶縁性であるから、キャビネット（２）とコンデンサ（４）が導通することは防止される。また、カバー（５）の閉じ姿勢を保つロック機構（６）は、コンデンサ（４）の周面に対向しており、コンデンサ（４）の一端部に設けられた端子（４０）（４０）とは離れている。これによって、ロック機構（６）の係脱操作時に、指が端子（４０）（４０）に接触する虞れは防止され、感電する危険はない。従って、コンデンサ（４）の取付け、交換時の作業性が改善される。
【０００７】
【発明の実施の形態】
以下、本発明の一例を図を用いて詳述する。
ストロボ用のコンデンサ（４）には、一般に大容量で且つコストの低いものが用いられる。図７は、コンデンサ（４）の分解斜視図である。コンデンサ（４）は、コンデンサ素子（４１）を、上面が開口したケース（４２）内に入れ、開口をエポキシ樹脂等で封して構成される。コンデンサ素子（４１）は、周知の如く、陰極箔（４３）と陽極箔（４４）をセパレータ（４５）を介して巻き取って形成されるから、コンデンサ素子（４１）を収納するケース（４２）は円筒状に形成される。ケース（４２）は金属製であるが、周面に絶縁性のテープ、フィルムが巻かれている。
コンデンサ素子（４１）からは端子（４０）（４０）が延びているが、本例にあっては、端子（４０）を中継基板（７）に取り付け、該中継基板（７）にストロボ（２１）に取り付けられる電線（７０）（７０）が半田付けされている（図３（ｂ）参照）。これにより、コンデンサ（４）の端子（４０）（４０）を傷める虞れを防いでいる。また、中継基板（７）はコンデンサ（４）にマウント工程にてリフロー半田にて取り付けられるから、半田付け時間は略一定である。
【０００８】
図１は、本例に係わるカメラ機器の斜視図である。キャビネット（２）は、２つの金属製のキャビネット半体（２０）（２０）を合わせて構成され、キャビネット（２）の前面にはストロボ（２１）及び対物レンズ（２３）が、上面にはシャッタ釦（２２）が、夫々周知の如く設けられている。キャビネット（２）の一側部には、蓋体（２４）が枢支され、該蓋体（２４）を開くと、メモリカード収納口（１０）及び電池収納口（１１）が露出する。
図２は、キャビネット（２）内部を示す斜視図である。下側のキャビネット半体（２０）内には、合成樹脂製のブラケット（１）が設けられ、該ブラケット（１）に前記メモリカード収納口（１０）及び電池収納口（１１）が開設されている。ブラケット（１）の下端部には、コンデンサ収納部（３）が設けられ、該コンデンサ収納部（３）内のコンデンサ（４）から延びた電線（７０）（７０）がストロボ（２１）に取り付けられる。
該コンデンサ（４）は、前記電池収納口（１１）内の電池（図示せず）から給電される。
【０００９】
図３（ａ）、（ｂ）は、図２のブラケット（１）をＡ方向から見た斜視図であり、（ａ）はコンデンサ（４）を収納した状態を、（ｂ）はコンデンサ（４）を外した状態を夫々示す。コンデンサ収納部（３）は、コンデンサ（４）が端子（４０）（４０）を側方に向けた状態で載置される受け片（３０）上に、コンデンサ（４）に被さるカバー（５）を枢支（５１）して構成される。カバー（５）の枢支部（５１）は、カバー（５）の両端部から突出した腕片（５２）（５２）の先端部に設けられた突起（５３）をブラケット（１）に嵌めて構成される。ブラケット（１）は前記の如く、合成樹脂製であり、カバー（５）及び受け片（３０）はともに絶縁性である。また、カバー（５）及び受け片（３０）は、コンデンサ（４）の周面に合わせて、ともに断面円弧状に形成されており、コンデンサ（４）がカバー（５）と受け片（３０）間に収納された状態で、転がることはない。
カバー（５）には、コンデンサ（４）を内向きに付勢する押圧片（５０）が設けられている。これにより、コンデンサ（４）がカバー（５）と受け片（３０）間に収納された状態で、コンデンサ（４）がガタ付くことを防ぐ。
カバー（５）上には、前記の如く、金属製のキャビネット半体（２０）が被さる。カバー（５）が絶縁性であるから、コンデンサ（４）とキャビネット半体（２０）が直接接してショートする虞れはない。
【００１０】
受け片（３０）の下端部からは、係止突起（３１）が下向きに突出し、該係止突起（３１）に対応してカバー（５）の下端部には、小孔（５４）が開設されている。カバー（５）が閉じた状態では、図４に示すように、係止突起（３１）がカバー（５）の小孔（５４）の下端縁に引掛かり、閉じ姿勢を保つ。即ち、係止突起（３１）と小孔（５４）とで、カバー（５）のロック機構（６）を構成する。
カバー（５）を開く際には、カバー（５）を稍外向きに撓み変形させ、係止突起（３１）と小孔（５４）の下端縁との当接を外す。
【００１１】
（コンデンサ収納）
コンデンサ（４）をキャビネット（２）内に収納するには、先ず図３（ｂ）に示すように、ブラケット（１）が未だキャビネット（２）に収納されていない状態で、カバー（５）を開き、受け片（３０）に中継基板（７）を取り付けたコンデンサ（４）を載せる。カバー（５）を閉じ、係止突起（３１）をカバー（５）の小孔（５４）の下端縁に引掛ける。図３（ａ）に示すように、カバー（５）は閉じ姿勢を保つ。
この状態で、図２に示すように、ブラケット（１）をキャビネット半体（２０）内に取り付ける。電線（７０）（７０）をストロボ（２１）に取り付けて、組立が完了する。尚、ブラケット（１）を先にキャビネット半体（２０）内に取り付けてから、カバー（５）を開き、コンデンサ（４）を収納してもよい。
【００１２】
（コンデンサ取り出し）
コンデンサ（４）を取り外すには、カバー（５）と受け片（３０）の係合を外して、カバー（５）を開く。露出したコンデンサ（４）のケース（４２）を把持してコンデンサ（４）を引き出す。ケース（４２）を把持するから、端子（４０）（４０）に指が触れる虞れはなく、感電の危険はない。端子（４０）に金属片等を当て、コンデンサ（４）内に残っている電荷を放電させてから、コンデンサ（４）を交換する。
カバー（５）を開閉するだけで、コンデンサ（４）を出し入れできるから、コンデンサ（４）交換時の作業性がよい。
また、ロック機構（６）は、コンデンサ（４）の周面に対向して設けられているから、コンデンサ（４）の端部に位置する端子（４０）（４０）とは互いに離れている。これにより、ロック機構（６）を係脱する際にも、端子（４０）（４０）に指が触れる虞れはない。
【００１３】
上記例では、図５（ａ）に示すように、カバー（５）の枢支部（５１）は、カバー（５）の上端部に位置し、時計方向に回動して開く。しかし、図５（ｂ）に示すように、カバー（５）の枢支部（５１）を、カバー（５）の下端部に設け、反時計方向に回動して開いてもよい。
また、図６に示すように、カバー（５）の一側部をブラケット（１）に枢支（５１）し、開閉してもよい。但し、カバー（５）と受け片（３０）のロック機構（６）は、端子（４０）（４０）から離して設け、ロック機構（６）の係脱操作時に指を端子（４０）（４０）に接触させない必要がある。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】カメラ機器の斜視図である。
【図２】キャビネット内部を示す斜視図である。
【図３】（ａ）、（ｂ）は、図２のブラケットをＡ方向から見た斜視図であり、（ａ）はコンデンサを収納した状態を、（ｂ）はコンデンサを外した状態を夫々示す。
【図４】係止突起と小孔の係合状態を示す断面図である。
【図５】（ａ）、（ｂ）は、カバーの閉じ姿勢を示す断面図である。
【図６】別の実施例の正面図である。
【図７】コンデンサの分解斜視図である。
【図８】ストロボをコンデンサによって発光させる回路図である。
【図９】従来のコンデンサの取付け構造を示す正面図である。
【符号の説明】
（１）    ブラケット
（２）    キャビネット
（４）    コンデンサ
（５）    カバー
（６）    ロック機構
（３０）    受け片
（４０）    端子
（５０）    押圧片
【図１】
2004258283.tif 000003
【図２】
2004258283.tif 000004
【図３】
2004258283.tif 000005
【図４】
2004258283.tif 000006
【図５】
2004258283.tif 000007
【図６】
2004258283.tif 000008
【図７】
2004258283.tif 000009
【図８】
2004258283.tif 000010
【図９】
2004258283.tif 000011